(57)【特許請求の範囲】
【請求項１】
起立姿勢で配置される複数の支柱と、略水平方向に延びて隣接する支柱間に配置される横架材とにより構成される構造体において、
前記支柱の上端部に着脱可能に取り付けられる連結部本体と当該連結部本体から略水平方向に沿って延出した突出部とからなる連結部材を備え、
前記突出部を隣接する支柱同士の対向面から互いに相寄る方向へ突出させ、隣接する支柱同士を一定間隔に保持した状態で、これら支柱間における突出部に前記横架材を一定方向から取り付けてなり、
前記支柱が、支柱本体とカバーとを有し、当該支柱本体とカバーとの間に略鉛直方向に連続した配線案内空間を形成しているものとし、
前記横架材がコ字形状のものであり、当該コ字形状により形成される内部空間を配線を案内するための配線案内空間としていることを特徴とする構造体。
【請求項２】
横架材が、上方から取り付けられることを特徴とする請求項１記載の構造体。
【発明の詳細な説明】
【０００１】
【発明の属する技術分野】
本発明は、例えば、オフィス内に特定の作業空間を形成する際等に好適に利用される構造体に関するものである。
【０００２】
【従来の技術】
近時、オフィスでは、床面に支持させた複数の支柱の上端部を横架材により連結して構造体を構成した上、これら支柱や横架材にパネルや収納棚等のオプション部材を取り付けることにより、オフィス内に特定の作業空間を形成する、いわゆる作業空間モジュールと呼ばれるものがある。この作業空間モジュールは、グループ或いは個人の作業の場等として利用され、フレキシブルオフィスの新しい形として注目されている。
【０００３】
従来、この作業空間モジュールを形成するための構造体を組み立てる場合には、先ず、隣接する一対の支柱のうち一方の支柱の内側面から突出した突出部を、横断面略ロ字形状の横架材の一端部へ挿入し、前記突出部と横架材の一端部とをネジ止めする等の適宜の手段で固定する。しかる後、この横架材の他端部側に他方の支柱に設けた突出部を挿入し、両者をネジ止めする等の適宜の手段で取り付けるようにしている。このように、従来は、先ず隣接する支柱のうちの一方の支柱に横架材の一端部側を連結した後、他端部側に他方の支柱を連結するようにしている。
【０００４】
【発明が解決しようとする課題】
しかしながら、このような構成のものであると、支柱と横架材とを交互に連結又は解体していかねばならないため、予め構造体全体の位置決めが行い難い上、連結や解体作業が煩雑なものとなり易いという不具合があった。さらに、連結や解体作業中に、一時的に横架材が支柱に片持ち的に支持されることとなるため、作業時の安定性が悪く支柱に無理な力が働く恐れがある上、横架材の他端部側を支持するべく複数の作業員が必要となる等の問題点もあった。
【０００５】
【課題を解決するための手段】
このような課題に鑑み、本発明は、起立姿勢で配置される複数の支柱と、略水平方向に延びて隣接する支柱間に配置される横架材とにより構成される構造体において、前記支柱の上端部に着脱可能に取り付けられる連結部本体と当該連結部本体から略水平方向に沿って延出した突出部とからなる連結部材を備え、前記突出部を隣接する支柱同士の対向面から互いに相寄る方向へ突出させ、隣接する支柱同士を一定間隔に保持した状態で、これら支柱間における突出部に前記横架材を一定方向から取り付けてなり、前記支柱が、支柱本体とカバーとを有し、当該支柱本体とカバーとの間に略鉛直方向に連続した配線案内空間を形成しているものとし、前記横架材がコ字形状のものであり、当該コ字形状により形成される内部空間を配線を案内するための配線案内空間としていることを特徴とする。
【０００６】
このような構成のものであると、予め複数の支柱を床面等に固定して構造体全体の概略的な位置決めを行った後、隣接する支柱間に横架材を一定方向から取り付けて構造体を完成させることができるので、その組立作業が従来のものに比べて非常に簡略化されることとなる。同様に、解体作業を行う場合も、先に、横架材を全て支柱から取り外した後、残った支柱をまとめて床面から取り外せばよい。このように、同じ部材の着脱作業をまとめて行うことが可能となるので、連結及び解体時の作業スピードを大幅に短縮化することが可能となる。さらに、連結及び解体作業中に、一時的に横架材が支柱に片持ち的に支持されることが避けられ、作業時の安定性の向上や、必要作業員の低減化等も図ることができる。
【０００７】
好適な実施の形態としては、横架材が、支柱に設けた取付部に一定方向から取り付けられるものが挙げられる。
【０００８】
支柱の上端部だけでなく、中間位置にも横架材を取り付け得るような構成とするには、取付部が、隣接する支柱同士の対向面から互いに相寄る方向へ突出した突出部であることが望ましい。
【０００９】
簡単な着脱作業と、確実且つ安定的な取付状態を可能とするには、横架材が、横断面略コ字形状のものであり、前記取付部に外方から嵌合させて取り付けるものであることが望ましい。
【００１０】
特に、この場合には、横架材が、上方から取り付けられることが望ましい。
【００１１】
さらに、支柱に特別な加工を施すことなく、また既存の支柱にも本発明の構成を適用し得るようにするには、突出部が、前記支柱と横架材を連結するために、前記支柱に着脱可能に取り付けられる連結部材に設けてあることが望ましい。
【００１２】
【発明の実施の形態】
以下、本発明の一実施の形態を、図面を参照して説明する。
【００１３】
本実施の形態では、本発明の構造体Ａを図１に示すようなオフィス内に作業空間を形成するいわゆる作業空間モジュールとして利用した場合について説明する。
【００１４】
この構造体Ａは、起立姿勢で配置される複数の支柱１と、略水平方向に延びて隣接する支柱１の上端部同士間に配置される横架材２とにより構成され、これら支柱１と横架材２とが共に拘束し合って自立性を確保している。そして、これら支柱１と横架材２とにより形成される所定空間内に机や椅子等の家具を配置するとともに、当該支柱１及び横架材２に天板や吊り棚等のオプション部材を取り付けることにより作業空間を形成している。また、この構造体Ａは、配線案内機能を有するものであり、これら支柱１及び横架材２の内部には、床面下空間或いは天井側空間内に張り巡らされた配線を引き込んで案内し得る連続した配線案内空間Ｓが設けてある。
【００１５】
以下、各部の具体的な構成について詳述する。
【００１６】
支柱１は、図２に示すように、アルミ等の剛性のある素材からなる押出成形体を所要長さで切断して構成した支柱本体１１と、この支柱本体１１に取り付けたカバー１２とからなる。支柱本体１１は、角柱状の中心体（図示せず）と、この中心体の四隅から斜め外方に向かって延出した隔壁１１１とを有してなり、隣接する隔壁１１１同士の先端間に前記カバー１２を取り付けて、前記隔壁１１１とカバー１２との間に略鉛直方向に連続した配線案内空間Sを形成している。この支柱１は、下端部側を適宜の手段で床面Ｆに固定され、上端部側にアジャスタ機構（図示せず）を介して上下動可能に設けた平面視略Ｌ字形或いは平面視略Ｔ字形の連結部材３を利用して前記横架材２と連結されている。なお、図２及び図３では省略しているが、支柱１の上端部には、連結部材３を隠蔽するカバーが取り付けられる。
【００１７】
連結部材３は、図２に示すように、前記支柱１の上端部に取り付けられる平面視略正方形状の連結部材本体３１と、この連結部材本体３１から略水平方向に沿って延出した突出部３２とを具備している。連結部材本体３１は、平面視略正方形状の頂壁３１１と、この頂壁３１１を構成する四辺から鉛直方向に垂下した垂下壁３１２とを具備してなり、ネジ止め等の適宜の手段で、前記支柱本体１１に取り付けられる。突出部３２は、前記連結部材本体３１の頂壁３１１を構成する４辺のうちの隣接する２辺或いは３辺からそれぞれ略水平方向へ延出してなる横断面略下向コ字形状のもので、頂壁３２１及び一対の垂下壁３２２とから構成される。
【００１８】
横架材２は、アルミ等の剛性のある素材からなる押出成形体を所要長さで切断して構成したもので、長手方向に沿って等しい横断面を有している。この横架材２は、頂壁２１と、この頂壁２１から垂下した一対の垂下壁２２とから構成される下方側が開口した横断面略下向コ字形状のもので、これら頂壁２１及び垂下壁２２により形成される内部空間を配線を案内するための配線案内空間Ｓとしている。また、本実施の形態では、この横架材２を利用して間仕切壁等のオプション部材を取り付け得るように構成している。
【００１９】
このような構成のものにおいて、本実施の形態では、支柱１と横架材２を連結して構造体Ａを構成する場合に、図３に示すように、隣接する支柱１同士を一定間隔に保持した状態で、前記横架材２を一定方向から取り付けるようにしている。
【００２０】
横架材２は、前述したように横断面略下向コ字形状のものであり、図２〜図５に示すように、隣接する支柱１において互いに相寄る方向へ突出した前記連結部材３の突出部３２に上方から取り付けられる。具体的には、前記横架材２を前記突出部３２の上方から嵌合させ、その頂壁２１及び垂下壁２２に設けたネジ挿入孔２３から挿入したネジ等の取付具４を前記突出部３２の頂壁３２１及び垂下壁３２２の対応位置に設けたネジ孔３２３にネジ作用を利用して嵌めることにより所定位置に固定される。なお、図中符号５で示すものは、前記横架材２の垂下壁２２に取り付けた取付具４を外部から目隠しするために設けたカバーである。
【００２１】
このような構成のものであると、予め複数の支柱１を床面Ｆに固定して構造体A全体の概略的な位置決めを行った後、隣接する支柱１間に横架材２を一定方向から取り付けて構造体Ａを完成させることができるので、その組立作業が従来のものに比べて非常に簡略化されることとなる。同様に、解体作業を行う場合も、先に、横架材２を全て支柱１から取り外した後、残った支柱１をまとめて床面Ｆから取り外せばよい。このように、同じ部材の着脱作業をまとめて行うことが可能となるので、連結及び解体時の作業スピードを大幅に短縮化することが可能となる。さらに、連結及び解体作業中に、一時的に横架材２が支柱１に片持ち的に支持されることが避けられ、作業時の安定性の向上や、必要作業員の低減化等も図ることができる。
【００２２】
支柱１側に設定した横架材２の取付部が、隣接する支柱１同士の対向面から互いに相寄る方向へ突出した連結部材３の突出部３２であるので、支柱１の対向面に横架材２の端面を略突き当てた状態で取り付けることができるので、構造体Ａ全体の外観が向上し得るとともに、支柱１の上端部だけでなく、中間位置にも横架材２を取り付けることが可能となる。
【００２３】
横架材２が、横断面略コ字形状のものであり、前記突出部３２に上方から嵌合させて取り付けるものであるので、簡易な構成により、簡単な着脱作業と、確実且つ安定的な取付状態が可能となる。
【００２４】
突出部３２が、前記支柱１と横架材２を連結するために、前記支柱１に着脱可能に取り付けられる連結部材３に設けてあるので、この連結部材３を利用することにより、支柱１に特別な加工を施すことなく、また、既存の支柱１にも、本発明の構成を適用することが可能となる。
【００２５】
なお、本発明における構成は、以上説明したものに限定されないのは勿論である。例えば、本実施の形態では、前記横架材を支柱の上端部に設けた連結部材に取り付けるようにしているが、これに限定されず、横架材を支柱の上端部に上方から直接取り付けるようにしてもよい。また、本実施の形態では、前記連結部材が支柱に対して上下動するものであったが、支柱の上端部に固定されているものであってもよい。さらに、取付方向も、上方から嵌めることに限定されず、隣接する支柱間の間隔を一定に保持した状態であれば、前後方向或いは下方から取り付けるようなものであってもよい。その他の構成も本発明の趣旨を逸脱しない範囲で種々変形が可能である。
【００２６】
【発明の効果】
本発明は、以上説明したような構成で実施され以下に記載されるような効果を奏する。
【００２７】
すなわち、本発明は、起立姿勢で配置される複数の支柱と、略水平方向に延びて隣接する支柱間に配置される横架材とにより構成される構造体において、隣接する支柱同士を一定間隔に保持した状態で、これら支柱間に前記横架材を一定方向から取り付けるようにしているので、構造体の組立及び解体作業を非常に簡略化することが可能となる。
【００２８】
取付部が、隣接する支柱同士の対向面から互いに相寄る方向へ突出した突出部であるならば、支柱の対向面に横架材の端面を略突き当てた状態で、支柱間に横架材を取り付けることができるので、構造体全体の外観が向上し得るとともに、支柱の上端部だけでなく、中間位置にも横架材を取り付けることが可能となる。
【００２９】
横架材が、横断面略コ字形状のものであり、前記取付部に外方から嵌合させて取り付けるものであるならば、簡易な構成により、簡単な着脱作業と、確実且つ安定的な取付状態が可能となる。
【００３０】
横架材が、上方から取り付けられるならば、該横架材を支柱や突出部に確実且つ安定的に取り付けることが可能となる。
【００３１】
突出部が、前記支柱と横架材を連結するために、前記支柱に着脱可能に取り付けられる連結部材に設けてあるならば、この連結部材を利用することにより、支柱に特別な加工を施すことなく、また、既存の支柱にも、本発明の構成を適用することが可能となる。
【図面の簡単な説明】
【図１】本発明の一実施の形態を概略的に示す全体斜視図。
【図２】同要部を示す斜視図。
【図３】同要部を示す分解斜視図。
【図４】同内部構造を省略した概略的な側断面図。
【図５】同内部構造を省略した概略的な側断面図。
【符号の説明】
１…支柱
２…横架材
３…連結部材
３２…突出部
Ａ…構造体
【図１】
0004386591.tif 000002
【図２】
0004386591.tif 000003
【図３】
0004386591.tif 000004
【図４】
0004386591.tif 000005
【図５】
0004386591.tif 000006